(57)【要約】      （修正有）【課題】製造が容易で且つ安価であり、同時に安定的な接触ピンを有するピンコンタクトを提供する。【解決手段】金属板１１から打抜き加工及び曲げ加工された部品として製造されると共に前側４からアクセス可能である受容室７を有するコンタクト本体３を備えるピンコンタクト１は、別個の中実接触ピン５が少なくとも部分的に前記受容室７内へ突出し、前記受容室７の壁部９に対して少なくとも１つの溶接点で前記受容室７内に溶接され、前記溶接点の領域において、前記壁部９は、前記溶接点から離れるように向く点３６で前記受容室７の外側Ａからアクセス可能である。【選択図】図１
2015111569.tif 000002
【特許請求の範囲】
【請求項１】
金属板（１１）から打抜き加工及び曲げ加工された部品として製造されると共に前側（４）からアクセス可能である受容室（７）を有するコンタクト本体（３）を備える電気コネクタ用ピンコンタクト（１）であって、
別体の中実接触ピン（５）が少なくとも部分的に前記受容室（７）内へ突出し、
前記受容室（７）の壁部（９）に対して少なくとも１つの溶接点（３５）で前記受容室（７）において溶接され、
前記溶接点（３５）の領域において、前記壁部（９）は、前記溶接点（３５）から離れるように向く側（３６）で前記受容室（７）の外側（Ａ）からアクセス可能であるピンコンタクト（１）。
【請求項２】
前記溶接点から離れるように向く前記壁部（９）の前記側（３６）で前記溶接点（３５）の領域から直線状に前記コンタクト本体（３）の外側（Ａ）に離れるように、工具チャネル（Ｋ）が延在する請求項１に記載のピンコンタクト（１）。
【請求項３】
前記壁部（９）は、前記溶接点（３５）の領域における前記受容室（７）内に突出する請求項１又は２に記載のピンコンタクト（１）。
【請求項４】
前記金属板（１１）の二つの層（２１，２２）が、前記コンタクト本体（３）の上側（１５）で重なり、
前記二つの層の内の内層（２１）は、前記溶接点（３５）を有する前記壁部（９）を形成する請求項１乃至３のいずれか一項に記載のピンコンタクト（１）。
【請求項５】
前記層（２１，２３）は、前記金属板（１１）の端部（５９）によって形成される請求項４に記載のピンコンタクト（１）。
【請求項６】
前記外層（２３）は、前記内層（２１）から離間される請求項４又は５に記載のピンコンタクト（１）。
【請求項７】
前記外層（２３）は、少なくとも１つの戻り止め手段（２５）を有する請求項４乃至６のいずれか一項に記載のピンコンタクト（１）。
【請求項８】
前記工具チャネル（Ｋ）は、前記戻り止め手段（２５）の隣に位置される請求項７に記載のピンコンタクト（１）。
【請求項９】
前記戻り止め手段（２５）は、前記コンタクト本体（３）の長手方向（Ｌ）へ前記溶接点（３５）のレベルに位置される請求項７又は８に記載のピンコンタクト（１）。
【請求項１０】
前記外層（２３）の前記端部（５９）は、前記戻り止め手段（２５）に平行に延在する補強ブリッジ（４９）を形成する請求項７乃至９のいずれか一項に記載のピンコンタクト（１）。
【請求項１１】
前記補強ブリッジ（４９）は、前記工具チャネル（Ｋ）を少なくとも部分的に囲む請求項１０に記載のピンコンタクト（１）。
【請求項１２】
前記補強ブリッジ（４９）の曲がった膨らみ（５１）が、前記工具チャネル（Ｋ）を避ける請求項１０又は１１に記載のピンコンタクト（１）。
【請求項１３】
前記補強ブリッジ（４９）の打ち抜き凹み（５３）が、前記工具チャネル（Ｋ）を避ける請求項１０乃至１２のいずれか一項に記載のピンコンタクト（１）。
【請求項１４】
前記接触ピン（５）は、少なくとも前記溶接点（３５）の領域において前記溶接点（３５）に向かってオフセット部分（３７）を有する請求項１乃至１３のいずれか一項に記載のピンコンタクト（１）。
【請求項１５】
前記接触ピン（５）は、前記受容室（７）内へ突出する領域において少なくとも１つの横断面が厚い部分（６１，６１ａ，６１ｂ）を有する請求項１乃至１４のいずれか一項に記載のピンコンタクト（１）。
【発明の詳細な説明】
【技術分野】
【０００１】
本発明は、電気コネクタ用ピンコンタクトに関する。
【背景技術】
【０００２】
ピンコンタクトは、特に、多極コネクタにおいて使用される。ピンコンタクトは、挿入方向に向く接触ピンによって特徴付けられる。これらの接触ピンは、共に差し込まれると、対応するブッシングにおいて嵌合する相手コンタクト部材に収容され且つ嵌合する相手コンタクト部材と電気接触を確立する。ピンコンタクト、特に０．５ｍｍ以下の横断面の幅を有する接触ピンは、一般的に、中実の本体から機械加工工程によって製造される。これらの製造工程は、コストがかかり、大量の材料を消費する。
【発明の概要】
【発明が解決しようとする課題】
【０００３】
従って、本発明の目的は、迅速且つ安価に製造されることができるが、接触ピンの横断面寸法が小さい場合でも、コンタクトの接続と接続解除の繰り返しに対して十分に高い安定度を提供する電気コネクタ用ピンコンタクトを提供することである。
【課題を解決するための手段】
【０００４】
本発明によれば、この目的は、電気コネクタ用の、冒頭に特定されたピンコンタクトによって達成され、このピンコンタクトは、金属板から打抜き加工及び曲げ加工された部品として製造され且つ前側からアクセスできる受容室を有するコンタクト本体を有し、別体の中実接触ピンが少なくとも部分的に前記受容室内に突出し、前記受容室内で前記受容室の壁部に少なくとも１つの溶接点で溶接され、前記溶接点の領域において、前記壁部は、前記溶接点から離れる方に向く側で前記受容室の外側からアクセス可能である。
【０００５】
前記ピンコンタクトの前記コンタクト本体は、打ち抜き曲げ加工工程を使用して安価に製造されることができる。前記接触ピンは、それが、例えば、ハウジングでの係合のため又はケーブルの接続のために、前記コンタクト本体に通常求められる部材を有する必要がないために、可能な限り単純に構成されることができる。従って、中実接触ピンは、更に安価に製造されることができる。加えて、中実接触ピンの使用によって、矩形外形の接触ピンを使用することもできる。これは、小さな横断面寸法、例えば、０．５ｍｍ以下の横断面の幅を有する接触ピンが使用されるべき場合に特に顕著である。打抜き加工及び曲げ加工工程によって製造される寸法を有する接触ピンは、前記製造工程に起因して、それらの接触ピンが略円形の横断面を有するような大きく丸められた折り曲げ縁部を有する。
【０００６】
コンタクト本体の製造において、技術者は、同様の寸法を有するコンタクトブッシングのために用いられる工具と工程を用いる。このように、技術者は、特に、企画立案、製造のため、及び打ち抜き曲げ加工工具の使用のために、コストを削減できる。ピンコンタクトの良好な機械的な安定性とコンタクト本体と接触ピンとの間の良好な電気接触の両方を得るために、接触ピンは、コンタクト本体に溶接される。溶接点の領域における壁部のアクセス容易性によって、第１に、受容室内に所定の方法で接触ピンを配置すること、次に、この接触ピンを壁部に溶接することを可能とする。
【０００７】
本発明に係る解決策は、更に、各々が独自に有利であり、任意に互いに組み合わされることができる異なる構成によって改良されることができる。これらの実施形態及びそれらに関連する利点は、以下で論じられる。
【０００８】
第１の有利な構成によれば、工具チャネルが、一直線に溶接点の領域から溶接点から離れる方に向く壁部の側のコンタクト本体の外側に延在する。このように、壁部は、溶接点から離れる方に向く壁部の側で即ち溶接点の領域における壁の後側で工具によって容易に到達されることができる。特に、レーザ溶接用のレーザが、ここでは工具として使用されることができる。或いは、溶接又ははんだ付け、特にスポット溶接のための適切な電極もこのために使用されることができる。
【０００９】
コンタクト本体の打ち抜き及び曲げのためのシステムに一体化されるレーザ溶接システムへアクセス可能であるようにするために、工具チャネルは、垂直面から０°と３０°との間の角度でコンタクト本体の表面に位置されることができる。
【００１０】
壁部と接触ピンとの間の良好な電気接触を得るために、溶接点の領域における壁部は、受容室内に突出できる。特に、溶接点の領域における壁部の金属板は、受容室内に湾曲されることができる、即ち曲げられることができる。このように、接触ピンを受容室内へ導入した後接触ピンと壁部との間の直接接触が既に生じており、次に両者は、溶接によって固定されることができる。
【００１１】
他の有利な一実施形態によれば、金属板の二つの層は、コンタクト本体の上側で重なることができ、これらの層の内の内層は、溶接点を有する壁部を形成する。このように、特にコンパクトなピンコンタクトが得られる。上側は、基部を形成する下側とは反対に配置されることができる。下側は、金属板の中心領域によって形成され、金属板の側翼部は、受容室を形成するように上側に対して囲むように曲げられる。
【００１２】
製造中の材料の消費を減少させるために、これらの層は、金属板の端部によって形成されることができる。
【００１３】
所定のサイズの接触ピンを有する異なる寸法のコンタクト本体を製造できるようにするために、内層の上方に配置される外層は、内層から離間されてもよい。次に、外層は、ピンコンタクトの機能部材のために使用されることができると共に、内層は、常に受容室の範囲を画定する。
【００１４】
ハウジング内にピンコンタクトを確実に配置することができるようにするために、外層は、少なくとも１つの戻り止め（detent）手段を有することができる。特に安価に製造されることができるコンタクト本体を得るために、戻り止め手段は、外層からコンタクト本体と一体的に形成されることができる。しかしながら、より大きな引き抜き強度を可能とするために、戻り止め手段は、別個に製造されて適切な接続技術によってコンタクト本体に留められることができる。
【００１５】
更に有利な一構成によれば、少なくとも１つの戻り止め手段は、挿入方向に対して反対に向く戻り止め舌部として形成されることができ、その戻り止め舌部は、挿入方向に対して少なくとも部分的に横断するように弾性的に撓むことができる。初期位置において、戻り止め舌部は、コンタクト本体から離れるようにある距離突出できる。コンタクト本体がハウジング内に挿入されると、戻り止め舌部は、コンタクト本体に向けて弾性的に曲がることができ、ハウジングに対応して構成された開口部内に配置されるハウジング内の位置に到達されるや否や、初期位置に戻るように移動できる。
【００１６】
戻り止め舌部のコンタクト本体に向けてのすなわちコンタクト本体内への塑性変形が防止される程度での撓みを許容するのみのために、戻り止め舌部は、少なくとも１つの壁部の方向に向く少なくとも１つのスペーサをその自由端に有することができる。
【００１７】
挿入方向に対して反対を向く戻り止め舌部の位置決め面を増加するために、戻り止め舌部は、その自由端に実質的にＵ形状の外形を有することができる。Ｕ形状の外形の開口は、ここでは、コンタクト本体の方に向くことができる。
【００１８】
戻り止め手段に加えて又は代えて、コンタクト本体は、挿入方向に対して反対に向く位置決め面を有することができる。次に、適切なハウジングは、挿入方向を横断するように延在し、ピンコンタクトが挿入方向に対して反対にハウジング内へ押圧されると位置決め面が当接する阻止部材を有することができる。
【００１９】
コンタクト本体の外側からの溶接点の良好なアクセスを可能とするために、工具チャネルは、戻り止め手段に隣接して位置されることができる。
【００２０】
特にコンパクトな構造を有するコンタクト本体を得るために、戻り止め手段は、コンタクト本体の長手方向における溶接点のレベルに位置することができる。
【００２１】
特に有利な一構成によれば、外層の端部は、戻り止め手段に平行に延在する補強ブリッジを形成する。補強ブリッジは、戻り止め手段がより大きな力に耐えることができるように戻り止め手段の安定性を増すことができる。
【００２２】
溶接点へのアクセスを許容するために補強ブリッジを有し、補強ブリッジは、少なくとも部分的に工具チャネルを囲むことができる。
【００２３】
補強ブリッジの曲がったふくらみは、工具チャネルに特に単純な構成を付与するように工具チャネルを避けることができる。他の有利な一構成によれば、補強ブリッジの打ち抜き凹みは、工具チャネルを避けることができる。
【００２４】
溶接点の領域における接触ピンと壁部との間の機械的接触と電気的接触を増すために、接触ピンは、少なくとも溶接点の領域において、溶接点に対してオフセットされた部分を有することができる。溶接工程の前に、接触ピンの特に確実な着座を得るために、オフセット部分は、受容室内へ突出する壁部に対して配置されることができる。次に、接触ピンは、オフセット部分の壁部へ溶接されることができる。
【００２５】
受容室内の接触ピンの位置を画定し、接触ピンの横断面の寸法と受容室の内寸との間の差を均一にするために、接触ピンは、受容室内へ突出する領域において少なくとも１つの横断面の厚い部分を有することができる。横断面の厚い部分は、ここでは、特に接触ピンのちょうど二つの対辺上に位置されることができ、それによって、これら二つの対辺の方向において接触ピンの位置が画定される。
【００２６】
接触ピンは、アンダカットが無くてもよい。このように接触ピンは、安価に製造されることができる。
【００２７】
接触ピンの受容室内への挿入を容易にするために、横断面の厚い部分は、中心開口部を有することができ、それによって、横断面の厚い部分の二つの側は互いに向かって弾性的に移動することができる。
【００２８】
受容室内において接触ピンの位置を画定するために、受容室内において、コンタクト本体は、接触ピンの少なくとも１つの横断面の厚い部分を受容するために、挿入方向に対して横断する少なくとも二つの対向する形態拘束開口を有することができる。
【００２９】
或いは、接触ピンはまた、形態拘束を受けることなく受容室内に保持されることもできる。製造中、接触ピンは、接触ピンの位置が溶接工程前に画定されるように工具内に保持されることができる。
【００３０】
以下において、本発明は、図面を参照して、種々の実施形態を使用して一例としてより詳細に記述される。実施形態において複数の例として示される特徴の組合せは、上記のコメントに係り且つ特定の用途で必要とされる本発明に係るピンコンタクトの特性に係る追加の特徴によって、補充されることができる。また、個々の特徴は、特定の用途においてこの特徴の効果と関係ない場合、同様に、上記コメントに従って、既述された実施形態において省略されることができる。
【００３１】
同じ参照番号は、同じ機能や同じ構造を有する部材に対して図面において常に使用される。
【００３２】
図面が以下に示される。
【図面の簡単な説明】
【００３３】
【図１】本発明に係る補強ブリッジを有する本発明に係るピンコンタクトの第１の実施形態の斜視図である。
【図２】コンタクト本体の領域における図１に示される実施形態の長手方向の断面である。
【図３】補強ブリッジの領域における第１の実施形態の横断面である。
【図４】コンタクト本体の領域における第１の実施形態の他の斜視図である。
【図５】本発明に係るピンコンタクトの第２の実施形態のコンタクト本体の斜視図である。
【図６】本発明に係る接触ピンの第１の実施形態の長手方向の断面である。
【図７】本発明に係る接触ピンの第２の実施形態の長手方向の断面である。
【発明を実施するための形態】
【００３４】
図１は、本発明に係るピンコンタクト１の第１の実施形態を示す斜視図である。全体的に、ピンコンタクト１は、挿入方向Ｓに平行な長手方向Ｌに沿って延在する長手形態を有する。ピンコンタクト１は、打抜き加工及び曲げ加工された部品として金属板から製造されるコンタクト本体３と、中実であるように製造された接触ピン５とを有する。接触ピン５は、コンタクト本体３の受容室７内へ突出し、受容室７の壁部９に溶接される。このために、受容室７は、その前側４からアクセスすることができる。壁部９の溶接点（図示せず）から離れる側３６は工具チャネルＫを通って外側Ａからアクセスすることができる。溶接点回りの領域は、図２と図３を参照してより詳細に記述される。
【００３５】
コンタクト本体３は、打ち抜き及び曲げ加工によって金属板１１から製造され、基部を形成する下側１３を有する。コンタクト本体３の上側１５は、下側１３に対向して位置する。下側１３は、金属板１１の中心領域１７によって形成され、金属板１１の側翼１９は、上側１５に向かって巻くように曲げられる。上側１５において、金属板１１の二つの層２１，２３が重なり、これら層の内の内層２１が壁部９を形成する。下側１３、側翼１９及び内層２１は、受容室７の範囲を定める。層２１，２３は、金属板１１の端部５９によって形成される。
【００３６】
上層すなわち外層２３は、内層２１から離間され、戻り止め（detent）舌部２５を有する。戻り止め舌部２５は、挿入方向Ｓに対して逆に且つ斜め上方に延在する。戻り止め舌部２５は、下側１３に向かって弾性的に撓むことができる。舌部の自由端２７は、戻り止め舌部２５から下側１３に向かって延在するスペーサ２９を有する。スペーサ２９は、戻り止め舌部２５が下側１３に向かって移動される時に、スペーサ２９がコンタクト本体３の内層２１上に配置されるために、下側１３に向かう戻り止め舌部２５の撓みを制限できる。このように、戻り止め舌部２５が撓む時に、塑性変形が防止されることができる。戻り止め舌部の自由端２７での横断面では、二つのスペーサ２９がＵ形状の外形、従って、戻り止め舌部２７の位置決め面３１を形成する。
【００３７】
コンタクト本体は、挿入方向Ｓに対して且つ、例えば、ケーブルのような導電体（図示せず）への接続のために接触ピン５の背後に圧着ゾーン３３を有する。
【００３８】
図２は、図１におけるＡ−Ａによって示される断面平面に沿う長手断面における図１に示される実施形態のコンタクト本体３を示す。接触ピン５は、受容室７内へ挿入され、溶接点３５の領域において内層２１の壁部９に当接する。受容室７内での接触ピン５の良好な着座を可能とするために、接触ピン５は、溶接点３５の領域にオフセット部分３７を有する。このオフセット部分３７は、壁部９に向かって片寄っている。一般的に、金属板１１の金属と接触ピン５の材料は、十分に弾性的であり、それによって、接触ピン５と壁部９の少なくとも一方が他方から離れるように弾性的に変形されるので、接触ピン５や壁部９は、互いに対して押圧される。このように、接触ピン５は、溶接前に受容室７内に確実に保持され、壁部９が接触ピン５のオフセット部分３７と接触するよう溶接点３５の領域及びコンタクト本体３の下側１３に載る接触ピン５の下側接触部分３９上の両方において接触ピン５とコンタクト本体３との間に良好な電気接触が得られる。接触ピン５は、上側１５に向かう追加のオフセット４１を有する。或いは、接触ピン５は、オフセット部分３７の外側に下側１３に連続的に載っていてもよい。このオフセット４１によって、コンタクト本体３から突出する接触ピン５の部分の位置が決定されることができる。
【００３９】
コンタクト本体３は、挿入方向Ｓとは反対に向く後部位置決め面４３を有する。この後部位置決め面４３は、ハウジング内にピンコンタクト１の位置を固定するために使用されることができる。ハウジングは、例えば、ピンコンタクト１の挿入方向Ｓに対して反対への移動が防止されるように、後部位置決め面４３が接触することができる相補的に構成された阻止部材を有することができる。
【００４０】
挿入方向Ｓに向く端部に、コンタクト本体３は、上層２３から形成された前部領域４５を有する。この前部領域４５は、前部位置決め面４７を有する。前部位置決め面４７は、後部位置決め面４３と同様に、ハウジング内にピンコンタクト１の位置を固定するために使用されることができる。戻り止め舌部２５は、前部領域４５から挿入方向Ｓとは反対に延在し、それによって、下側１３から斜めに離れるように向いている。
【００４１】
補強ブリッジ４９は、前部領域４５から戻り止め舌部２５の下に延在している。補強ブリッジ４９は、挿入方向Ｓとは逆向きに後部位置決め面４３まで延在する。補強ブリッジ４９は、挿入方向へ働く力が戻り止め舌部の自由端２７の位置決め面３１に及ぼされる場合に前部領域４５の変形を減少する。このように、戻り止め舌部２５は、より大きな引き抜き力に耐えることができ、ハウジング内へのピンコンタクト１の確実な着座を提供する。
【００４２】
補強ブリッジ４９は、上層２３から一体的に形成される。補強ブリッジ４９は、溶接点３５方向に向かう膨らみ５１を有する。この膨らみ５１の領域において、補強ブリッジ４９は、更に凹み５３を有する。このように、連続的な直線状の工具チャネルＫは、コンタクト本体の外側Ａから、溶接点３５から離れるように向く壁部９の側３６まで避けるように作られる。工具チャネルＫは、図１と図３を参照してより詳細に記述される。或いは、補強ブリッジ４９は、このために、唯一つの膨らみ５１又は唯一の凹み５３を有していてもよい。膨らみ５１と凹み５３は、溶接点３５のレベルに、従って、受容室７内に突出する壁部９レベルの及び壁部９の方向に片寄った接触ピン５のオフセット部分３７のレベルに長手方向Ｌにある。
【００４３】
図３は、図２に示される断面平面Ｂ−Ｂに沿う本発明に係るピンコンタクト１の横断面を示す。断面平面Ｂ−Ｂは、膨らみ５１と凹み５３の領域における補強ブリッジ４９を貫通して延在する。
【００４４】
膨らみ５１は、上層２３から接触ピン５に向かって突出する。凹み５３は、膨らみ５１の領域において接触ピン５の方向に向く補強ブリッジ４９の端部に延在する。膨らみ５１と凹み５３は、コンタクト本体３の外側Ａから壁部９の側３６まで連続的且つ直線状の工具チャネルＫを避け、溶接点３５に向かって丸くなっている。
【００４５】
工具チャネルＫは、下側１３に直立する垂直面Ｎに対して約３０°の角度で延在する。或いは、工具チャネルＫは、使用される接続技術の要請に従って、垂直面Ｎに対して平行に又は他の望ましい角度で延在してもよい。工具チャネルＫは、隣接する側翼１９によって下側１３に対して制限される。従って、膨らみ５１の深さ５５及び凹み５３の深さ５７は、工具チャネルＫの寸法を決定することになる。
【００４６】
補強ブリッジ４９と内層２１は、金属板１１の端部５９によって形成される。補強ブリッジ４９は、戻り止め舌部２５によって形成される戻り止め手段に実質的に平行に延在する。工具チャネルＫ、工具チャネルＫを避ける部材、膨らみ５１及び凹み５３は、挿入方向Ｓに見て、溶接点３５のレベルに位置される。
【００４７】
戻り止め舌部２５は、挿入方向Ｓに見て、補強ブリッジ４９に続いて配置される。
【００４８】
内層２１の壁部９は、その壁部９が受容室７内に挿入される接触ピン５に載るように受容室７内に突出する。同様に、接触ピン５のオフセット部分３７は、壁部９に向かって突出する。壁部９と接触ピン５との間の良好な機械的且つ電気的接触は、互いに向かって且つ内層２１の壁部９に向かって突出する接触ピン５のオフセット部分３７によって保証される。溶接点３５の領域において、接触ピン５は、横断面の厚い部分６１を有する。この横断面の厚い部分６１は、受容室７の内側の幅６５に溶接点３５の領域における接触ピンの幅６３を適合するように働く。
【００４９】
接触ピン５の周りの領域において、コンタクト本体３は、対称軸を持たない外形を有する。これは、下側１３に向かって斜めに延在するが側翼１９に対して平行な直線ではない補強ブリッジ４９を有する端部５９によって達成される。従って、接触ピン５の周りの領域におけるコンタクト本体３の外形は、ピンコンタクト１を対応するハウジングへ導入する時の誤った挿入に対する安全対策として働く。従って、このために、ソケットは、ハウジング（図示せず）に相補的に形成されなければならない。
【００５０】
図４は、戻り止め舌部２５を有するピンコンタクト１の側部の方向における第１の実施形態の斜視図を示す。戻り止め舌部２５は、下側１３の方向に向くスペーサ２９を有する。戻り止め舌部の自由端２７において、戻り止め舌部２５は、開口が下側１３の方向へ向くＵ形状の外形を有する。例えば、ピンコンタクト１をハウジング（図示せず）内へ挿入する時に、戻り止め舌部２５が下側１３の方向へ撓むと、スペーサ２９は、これらのスペーサが内層２１の上に配置されるので、撓みの範囲を制限できる。
【００５１】
コンタクト本体３の安定性を増すために、内層２１は、端部５９に固定延長部６７を有する。固定延長部６７は、それに対向して存在する側翼１９の開口６９内へ突出する。固定延長部６７は、コンタクト本体３を越えては突出しないように、側翼１９は、開口６９の領域に後退部分７１を有する。
【００５２】
図５は、本発明に係るピンコンタクト１の第２の実施形態を斜視図で示す。後部位置決め面４３と前部位置決め面４５との間に延在する補強ブリッジ４９が存在しない。戻り止め舌部２５は、外されると、挿入方向Ｓとは逆に前部領域４５から突出する。この実施形態は、戻り止め舌部２５が小さな引き抜き力に耐えることが必要であるに過ぎない場合に選択することができる。このようにして、材料及び作業工程を削減できる。更に、第２の実施形態は、工具チャネルＫが戻り止め舌部２５と端部５９が内壁２１を形成する側翼１９によって範囲が定められるに過ぎないので、溶接点３５に対するアクセスを向上する。第１の実施形態の場合のように、戻り止め舌部２５は、溶接点３５のレベルで挿入方向とは反対に且つコンタクト本体３から外側Ａへ離れるように斜めに延在する。
【００５３】
図６は、下側１３に平行なコンタクト本体３中の接触ピン５を通る長手方向の断面を示す。接触ピン５は、二つの横断面の厚い部分６１ａ，６１ｂを有する。これらの横断面の厚い部分６１ａ，６１ｂは、挿入方向Ｓに対して横断するように且つ下側１３に対して平行に延在する。二つの横断面の厚い部分６１ａ，６１ｂを使用することによって、下側１３に平行な受容室７における接触ピン５の旋回が不能であり、それによって、コンタクト本体３に対する接触ピン５の位置が溶接工程前に固定される。溶接点３５の領域における横断面の厚い部分６１ａは、挿入方向Ｓに見て、第２の横断面の厚い部分６１ｂよりも長い。横断面の厚い部分６１ａは、実質的にオフセット部分３７の上方に延在している。このように、接触ピン５と壁部９（図示せず）との間の電気接触は、位置決め面が拡大されるために、向上される。
【００５４】
図７は、本発明に係る接触ピン５とコンタクト本体３の第２の実施形態を示す。接触ピン５は、その中間に拡大ゾーン７３を有する唯一つの横断面の厚い部分６１を有する。この拡大ゾーン７３において、接触ピン５は、横断面の厚い部分６１の残余の部分に比較して幅が拡げられている。更に、拡大ゾーンの領域において、接触ピン５は、中心開口７５を有する。接触ピン５は、中心開口７５周りに二つのアーム７７の形態で延在する。これらのアームは、挿入方向Ｓに対して横断するように弾性的に撓み、それによって、接触ピン５を挿入すると、これらのアームは、コンタクト本体３の内に互いに向かって曲げられることができる。
【００５５】
コンタクト本体３は、接触ピン５の拡大ゾーン７３が挿入されることができる二つの対向する形態拘束開口７９を有する。接触ピン５がコンタクト本体３に押し込まれると、アーム７７は、互いに向かうように移動され、拡大ゾーン７３が形態拘束開口７９のレベルに達するとすぐに、外側へ広がる。次に、接触ピン５は、受容室７内に形態拘束状態で着座する。
【符号の説明】
【００５６】
１ ピンコンタクト
３ コンタクト本体
４ 前側
５ 接触ピン
７ 受容室
９ 壁部
１１ 金属板
１３ 下側
１５ 上側
１７ 中心領域
１９ 側翼
２１ 内層
２３ 上層
２５ 戻り止め舌部
２７ 戻り止め舌部の自由端
２９ スペーサ
３１ 位置決め面
３３ 圧着ゾーン
３５ 溶接点
３６ 溶接点から離れるように向く側
３７ オフセット部分
３９ 下部接触領域
４１ オフセット
４３ 後部位置決め面
４５ 前部領域
４７ 前部位置決め面
４９ 補強ブリッジ
５１ 膨らみ
５３ 凹み
５５ 膨らみの深さ
５７ 凹みの深さ
５９ 端部
６１，６１ａ，６１ｂ 横断面の厚い部分
６３ 接触ピンの幅
６５ 受容室の内側の幅
６７ 固定延長部
６９ 開口
７１ 後退部分
７３ 拡大ゾーン
７５ 中心開口
７７ アーム
７９ 形態拘束開口
Ｓ 挿入方向
Ａ 外側
Ｋ 工具チャネル
Ｎ 垂直面
Ｌ 長手方向
【図１】
2015111569.tif 000003
【図２】
2015111569.tif 000004
【図３】
2015111569.tif 000005
【図４】
2015111569.tif 000006
【図５】
2015111569.tif 000007
【図６】
2015111569.tif 000008
【図７】
2015111569.tif 000009
【外国語明細書】
2015111569000001.pdf
2015111569000002.pdf
2015111569000003.pdf
2015111569000004.pdf